(57)【特許請求の範囲】
【請求項１】
対向する二つの筐体部材と、
二つの筐体部材の中間に位置し、側面を構成する枠状の中間部材と、
前記中間部材が有し、ねじが挿通する貫通孔が設けられた板状部と、
該板状部の前記貫通孔の周囲に設けられ、導線の一部が外側面を沿うように配線してあり、一の筐体部材に向かって突出するリブと、
前記一の筐体部材に設けられ、ねじにより前記リブと締結してあるボスと
を備えたことを特徴とする筐体。
【請求項２】
前記リブは筒状をなし、前記ボスは前記リブの内部に収容してある
ことを特徴とする請求項１に記載の筐体。
【請求項３】
前記リブの先端面は外側から内側に向かってテーパー状の斜面を設けてある
ことを特徴とする請求項２に記載の筐体。
【請求項４】
前記リブの突出長は、前記導線の線径よりも長くしてある
ことを特徴とする請求項１から請求項３に記載の筐体。
【請求項５】
請求項１から請求項４のいずれか一項に記載の筐体と、
一側に表示面を有する表示部と
を備え、
他の筐体部材は、前記表示部の表示面周縁を覆う枠状をなしている
ことを特徴とする表示装置。
【請求項６】
請求項５に記載の表示装置と、
テレビジョン放送を受信する受信部と
を備え、
前記受信部にて受信したテレビジョン放送に基づいて、前記表示装置に映像を表示するようにしてあること
を特徴とするテレビジョン受信機。
【発明の詳細な説明】
【技術分野】
【０００１】
本発明は、複数の筐体部材が結合されて箱状をなし、内部に導線が配線される電子機器等において、組み立て時に導線が噛み込んでしまうことを防止する筐体、当該筐体を備える表示装置及びテレビジョン受信機に関する。
【背景技術】
【０００２】
近年、電化製品の小型化、薄型化を実現するために、筐体内の導線を通すスペースが制限されるようになっている。液晶表示装置では、狭額縁化に伴い導線（線材）を通すスペースが制限され、ハーネスは与えられたスペース内に確実に保持されることが望まれている。例えば、特許文献１には、互いに結合される２つの筺体部材の一方に設けた線材保持部が備えるスリットに線材（導線）を挿入し、２つの筺体部材を結合すると、他方の筺体部材に設けた閉塞部が前記スリットの開口端を閉塞する筐体が記載されている、当該筐体では、線材保持部のスリットに保持されている線材は閉塞部によってスリットから外れることが防止される。
【先行技術文献】
【特許文献】
【０００３】
【特許文献１】特開２００１−２１０８７５号公報
【発明の概要】
【発明が解決しようとする課題】
【０００４】
しかしながら、狭額縁化、薄型化が望まれている表示装置においては、上述の構成を採用できない場合もある。一方、導線の先端にはコネクタが取り付けられており、当該コネクタが他の構成部品が備えるコネクタと係合する。そのため、配線された導線はある程度の範囲で動くことが可能である必要がある。したがって、複数の筐体部材を組み立てる際には、導線を噛み込んでしまうおそれがある。
【０００５】
本発明は斯かる事情に鑑みてなされたものであって、複数の筐体部材を組み立てる際には、導線を噛み込んでしまうことを防止する筐体等を提供することにある。
【課題を解決するための手段】
【０００６】
本発明に係る筐体は、対向する二つの筐体部材と、二つの筐体部材の中間に位置し、側面を構成する枠状の中間部材と、前記中間部材が有し、ねじが挿通する貫通孔が設けられた板状部と、該板状部の前記貫通孔の周囲に設けられ、導線の一部が外側面を沿うように配線してあり、一の筐体部材に向かって突出するリブと、前記一の筐体部材に設けられ、ねじにより前記リブと締結してあるボスとを備えたことを特徴とする。
【０００７】
本発明に係る筐体は、前記リブは筒状をなし、前記ボスは前記リブの内部に収容してあることを特徴とする。
【０００８】
本発明に係る筐体は、前記リブの先端面は外側から内側に向かってテーパー状の斜面を設けてあることを特徴とする。
【０００９】
本発明に係る筐体は、前記リブの突出長は、前記導線の線径よりも長くしてあることを特徴とする。
【００１０】
本発明に係る表示装置は、上述の筐体と、一側に表示面を有する表示部とを備え、他の筐体部材は、前記表示部の表示面周縁を覆う枠状をなしていることを特徴とする。
【００１１】
本発明に係るテレビジョン受信機は、上述の表示装置と、テレビジョン放送を受信する受信部とを備え、前記受信部にて受信したテレビジョン放送に基づいて、前記表示装置に映像を表示するようにしてあることを特徴とする。
【発明の効果】
【００１２】
本発明にあっては、筐体部材を組み立てる際に、導線を噛みこんでしまうことを防ぐことが可能となる。
【図面の簡単な説明】
【００１３】
【図１】テレビジョン受信機の一例を示す前側の外観斜視図である。
【図２】テレビジョン受信機の一例を示す後側の外観斜視図である。
【図３】テレビジョン受信機の一例を示す分解斜視図である。
【図４】ミドルキャビネットを示す前方斜視図である。
【図５】ミドルキャビネットを示す後方斜視図である。
【図６】ミドルキャビネットの部分拡大斜視図である。
【図７】リアキャビネットを示す前方斜視図である。
【図８】ボスを示す拡大図である。
【図９】テレビジョン受信機下部の縦断面図である。
【図１０】ミドルキャビネットの部分拡大斜視図である。
【図１１】テレビジョン受信機下部の縦断面図である。
【図１２】ミドルキャビネットの部分拡大斜視図である。
【発明を実施するための形態】
【００１４】
以下、本発明を、その実施形態を示す図面を基づいて詳述する。以下の説明では、図において矢符で示す上下、前後、及び左右を使用する。
【００１５】
（実施形態１）
図１はテレビジョン受信機１の一例を示す前側の外観斜視図である。図２はテレビジョン受信機１の一例を示す後側の外観斜視図である。テレビジョン受信機１はベゼル（筐体部材）１１、液晶パネル（表示部）１２、ミドルキャビネット（中間部材）１９、リアキャビネット（筐体部材）２０、チューナ部（受信部）２１、電源部２２を含む。スタンド３はテレビジョン受信機１を立てた状態で支持するもので、テレビジョン受信機１とは別体として構成されている。テレビジョン受信機１は、本発明の筐体を有する表示装置を備えた機器の一例である。
【００１６】
図３はテレビジョン受信機１の一例を示す分解斜視図である。テレビジョン受信機１は、上述に加えて、複数枚からなる光学シート群１３、ミドルシャーシ１４、導光板１５、ＬＥＤ（Ｌｉｇｈｔ  Ｅｍｉｔｔｉｎｇ  Ｄｉｏｄｅ）基板１６、放熱板１７、バックライトシャーシ１８を含む。
【００１７】
ベゼル１１は矩形枠状をなし、液晶パネル１２の前側周縁部、上下及び左右の側部を覆っている。ベゼル１１は鉄やアルミニウムなどの金属で形成する。液晶パネル１２は矩形板状をなし、前面に映像を表示する。光学シート群１３を構成する各光学シートは液晶パネル１２の後側に配され、液晶パネル１２に入射する光を拡散又は集光する等の機能を備える。ミドルシャーシ１４は矩形枠状をなし、液晶パネル１２、光学シート群１３を保持するとともに、導光板１５の周縁部を押さえる構造物である。ベゼル１１はバックライトシャーシ１８に固定される。
【００１８】
導光板１５は、ＬＥＤ基板１６に設けてあるＬＥＤから入射した光を前側に出射し、液晶パネル１２の後面に照射する。ＬＥＤ基板１６は短冊状をなし、一面に所定間隔でＬＥＤが並設してある。
【００１９】
放熱板１７は側面視Ｌ字状をなしている。放熱板１７の前後方向にわたる板状部分にＬＥＤ基板１６が固定される。ＬＥＤ基板１６に実装されたＬＥＤは、導光板１５の下端面に対向配置される。放熱板１７はＬＥＤから発生する熱を放散させる役割を担う。放熱板１７は熱伝導性の良い金属、例えば、アルミニウムで形成する。
【００２０】
ミドルキャビネット１９は矩形枠状をなしている。ミドルキャビネット１９は、下側の内部には左右方向にわたる板状部１９４を有している。リアキャビネット２０は一面が開口された有底箱型形状をなしている。ミドルキャビネット１９、リアキャビネット２０は、ＰＣ（ｐｏｌｙｃａｒｂｏｎａｔｅ：ポリカーボネート）、ＡＢＳ樹脂（アクリロニトリル、ブタジエン、スチレン共重合合成樹脂）などの樹脂で形成する。
【００２１】
チューナ部２１はテレビジョン放送を受信する。受信したテレビジョン放送に基づいて液晶パネル１２は映像を表示する。電源部２２はテレビジョン受信機１の各部に電源を供給する。
【００２２】
テレビジョン受信機１は次のようにして組み立てられる。バックライトシャーシ１８を用意する。バックライトシャーシ１８に、予めＬＥＤ基板１６を取り付けた放熱板１７を固定する。バックライトシャーシ１８に図示しない反射シート、導光板１５を積層し、ミドルシャーシ１４をバックライトシャーシ１８に固定する。ミドルシャーシ１４がバックライトシャーシ１８に固定されることにより、導光板１５の位置決めがされる。ミドルシャーシ１４の上に、光学シート群１３、液晶パネル１２を積層する。ベゼル１１を液晶パネル１２の前側周縁部を覆うように被せる。ベゼル１１の側面及び上面に設けてある貫通孔にねじを通し、当該ねじを貫通孔に対応する位置に設けてある雌ねじに螺合することにより、ベゼル１１をバックライトシャーシ１８に固定する。これにより、バックライトシャーシ１８に積層された上記構成が、バックライトシャーシ１８とベゼル１１とで、挟持固定される。
【００２３】
さらに、ベゼル１１の上下左右の面を覆うようにミドルキャビネット１９を被せる。バックライトシャーシ１８にチューナ部２１、電源部２２等を取り付け、ハーネス（導線）の配線を行なう。ハーネスは例えば電源部２２と制御基板（図示しない）とを結ぶ。
【００２４】
そして、リアキャビネット２０をバックライトシャーシ１８の後側から被せ、リアキャビネット２０に設けた貫通孔及び当該貫通孔に対応する位置に設けてあるミドルキャビネット１９の貫通孔１９ａにねじを通す。当該ねじは、貫通孔１９ａに対応する位置に設けてあるバックライトシャーシ１８の雌ねじにねじを螺合する。それにより、リアキャビネット２０をバックライトシャーシ１８に固定する。
【００２５】
次に、ミドルキャビネット１９について、更に説明を加える。図４はミドルキャビネット１９を示す前方斜視図である。図５はミドルキャビネット１９を示す後方斜視図である。ミドルキャビネット１９は矩形枠状をなしている。ミドルキャビネット１９はそれぞれ、断面略Ｌ字状をなす、上側部１９１、右側部１９２、左側部１９３を含む。ミドルキャビネット１９の下側は、左右方向に長く下端から上方に延在する板状部１９４及び当該板状部１９４と連なり、前方に突出する下板部１９５を含む。さらに、ミドルキャビネット１９は、下板部１９５の前端から斜め下方に延在する下外装部１９６を含む。ミドルキャビネット１９の板状部１９４及び下板部１９５により、断面略Ｌ字状の部材を形成している。ミドルキャビネット１９の上側部１９１、右側部１９２、左側部１９３それぞれの一方の面には、ねじが貫通する貫通孔１９ａが所定箇所に形成してある。板状部１９４にも同様に、貫通孔１９ａが所定箇所に形成してある。
【００２６】
図６はミドルキャビネット１９の部分拡大斜視図である。図６はおおよそ図５に示した矩形枠Ａ１内を示している。また、図６には図５では省略されているハーネスｈの配線例が示されている。板状部１９４の貫通孔１９ａの周囲には、円筒形の円筒リブ（リブ）１９ｂが備えられている。円筒リブ１９ｂは、貫通孔１９ａの中心点を通り、前後方向にわたる直線を中心軸とする円筒形をなしている。円筒リブ１９ｂの高さ、すなわち、板状部１９４からの突出長は、ハーネスｈの太さよりも十分大きな値としてある。ハーネスｈは円筒リブ１９ｂの側面を沿うように配線してある。
【００２７】
図７はリアキャビネット２０を示す前方斜視図である。リアキャビネット２０は有底箱状をなす。リアキャビネット２０は、箱の底壁に当たる矩形状の後壁２０１、箱の周壁に当たる上壁２０２、右壁２０３、下壁２０４、左壁２０５を含む。上壁２０２、右壁２０３、下壁２０４、左壁２０５それぞれは、後壁２０１から前方に突出している。上壁２０２、右壁２０３、左壁２０５には、ねじが挿通する貫通孔２０ｃが複数箇所に設けられている。後壁２０１の下側には前方に突出するボス２０ａが複数箇所に設けられている。ボス２０ａには貫通孔２０ｂが設けてある。
【００２８】
図８はボス２０ａを示す拡大図である。ボス２０ａは略円柱状である。ボス２０ａは、根元より先端に向けて緩やかに細くなるテーパー状としてある。ボス２０ａの先端には他の部分と比較して、直径が最も小さい円柱状の突起部２０ｄが設けてある。貫通孔２０ｂは、突起部２０ｄを含むボス２０ａの先端に設けてある。貫通孔２０ｂは、断面が角丸矩形状である。
【００２９】
図９はテレビジョン受信機１下部の縦断面図である。断面線は、円筒リブ１９ｂを左右に割るような位置である。リアキャビネット２０に形成されているボス２０ａは、ミドルキャビネット１９に形成されている円筒リブ１９ｂの内部に収容されている。円筒リブ１９ｂ内径は、ボス２０ａの外径よりも大きくしてある。
【００３０】
ボス２０ａは円筒リブ１９ｂの内部に挿入された後、貫通孔２０ｂの位置が円筒リブ１９ｂに設けられた貫通孔１９ａの位置と合うように、位置合わせされる。この位置合わせは、貫通孔２０ｂと貫通孔１９ａとに、ねじＢが挿通するようにすれば良い。ボス２０ａに設けた貫通孔２０ｂはいわゆる長孔としてあるので、ボス２０ａの形成位置に多少の誤差が発生しても、ねじＢが挿通可能である。バックライトシャーシ１８には、貫通孔２０ｂ、貫通孔１９ａに対応する位置に、後方に突出するように雌ねじが切られた円筒状のピン１８ａがカシメ固定してある。貫通孔２０ｂ、貫通孔１９ａを挿通したねじＢはピン１８ａと螺合している。それにより、ミドルキャビネット１９及びリアキャビネット２０はバックライトシャーシ１８に共締め固定される。
【００３１】
実施形態１は以下の効果を奏する。リアキャビネット２０にも受けたボス２０ａは、ミドルキャビネット１９に設けてある円筒リブ１９ｂの内部に収容する。それにより、ミドルキャビネット１９にハーネスｈを配線する場合において、ハーネスｈを円筒リブ１９ｂの外周に沿わすように配線すれば、組み立て時にボス２０ａがハーネスｈを噛み込んでしまうことを防ぐことが可能となる。
【００３２】
円筒リブ１９ｂの高さは、ハーネスｈの太さよりも十分大きな値としてある。そのため、円筒リブ１９ｂの近傍に配線したハーネスｈが、位置ずれを起こしたとしても、円筒リブ１９ｂの開口を跨ぐおそれは少ない。したがって、ボス２０ａが円筒リブ１９ｂに主要される際にハーネスｈを噛み込んでしまうことを防ぐことが可能となる。
【００３３】
（実施形態２）
実施形態２はミドルキャビネット１９に設けてある円筒リブ１９ｂの先端面に傾斜を付ける形態に関する。それ以外の点については、実施形態１と同様であるので、以下の説明においては、実施形態１と異なる点を主として説明する。
【００３４】
図１０はミドルキャビネット１９の部分拡大斜視図である。図１１はテレビジョン受信機１下部の縦断面図である。実施形態２において、円筒リブ１９ｂの先端は外側から内側に向かって傾斜するテーパー状の斜面１９ｂ１となっている。
【００３５】
斜面１９ｂ１を構成した技術的意義は以下のとおりである。テレビジョン受信機１の大画面化に伴い、リアキャビネット２０も大型化している。そして、リアキャビネット２０は軽量化、薄型化のために、樹脂により形成している。そのために、たわみやすい性質を持っている。それにより、組み立て工程において、リアキャビネット２０をミドルキャビネット１９に被せる際、位置ずれが発生する場合がある。そのような場合であっても、ボス２０ａの先端が斜面１９ｂ１に当たれば、ボス２０ａは円筒リブ１９ｂの内部に誘い込まれる。なお、円筒リブ１９ｂの内径は、上述の位置ずれが発生してもボス２０ａの先端が斜面１９ｂ１に当たる程度の寸法とすることが望ましい。
【００３６】
実施形態２は、実施形態１で奏する効果に加えて、次の効果を奏する。円筒リブ１９ｂの先端面は外側から内側に向かってテーパー状の斜面１９ｂ１を設けてあるので、組み立て時にボス２０ａが位置ずれしたとしても、先端が斜面１９ｂ１を滑り、ボス２０ａは円筒リブ１９ｂの内部に誘い込まれる。それにより、ボス２０ａがハーネスを噛み込んでしまうことを防ぐことが可能となる。
【００３７】
（実施形態３）
実施形態３は、ミドルキャビネット１９に設けるリブの形状が円筒状ではない構成に関する。リブの形状を除いては、実施形態１と同様であるので、以下の説明においては、実施形態１と異なる点を主として説明する。
【００３８】
図１２はミドルキャビネット１９の部分拡大斜視図である。図１２はおおよそ図５に示した矩形枠Ａ２内を示している。図１２に示すように、実施形態３では、貫通孔１９ａに周囲には二つのリブ１９ｃ、１９ｄを設けた構成となっている。二つのリブ１９ｃ、１９ｄの断面は貫通孔１９ａを中心とした同心円上の円弧状となっている。ハーネスｈはリブ１９ｃの下側に配線してある。
【００３９】
他の部材との関係で円筒状のリブが設けられない場合であっても、リブ１９ｃ、１９ｄのように、貫通孔１９ａの周囲の一部にでもリブを設けることより、何も設けない場合に比較すると、ボス２０ａがハーネスｈを噛み込んでしまう可能性を低減することが可能となる。
【００４０】
本発明に係る筐体は、対向する二つの筐体部材１１、２０と、二つの筐体部材１１、２０の中間に位置し、側面を構成する枠状の中間部材１９と、前記中間部材１９が有し、ねじが挿通する貫通孔１９ａが設けられた板状部１９４と、該板状部１９４の前記貫通孔１９ａの周囲に設けられ、導線ｈの一部が外側面を沿うように配線してあり、一の筐体部材２０に向かって突出するリブ１９ｂと、前記一の筐体部材２０に設けられ、ねじにより前記リブ１９ｂと締結してあるボス２０ａとを備えたことを特徴とする。
【００４１】
本発明にあっては、ボス２０ａと締結されるリブ１９ｂの外側面に沿うように導線ｈを配線してあるので、ボス２０ａをリブ１９ｂに締結する際に、ボス２０ａが導線ｈを噛み込んでしまうことを防ぐことが可能となる。
【００４２】
本発明に係る筐体は、前記リブ１９ｂは筒状をなし、前記ボス２０ａは前記リブ１９ｂの内部に収容してあることを特徴とする。
【００４３】
本発明にあっては、導線ｈはリブ１９ｂの外側面に沿うように配線し、ボス２０ａはリブ１９ｂの内部に挿入されるので、ボス２０ａをリブ１９ｂに締結する際に、ボス２０ａが導線ｈを噛み込んでしまうことを防ぐことが可能となる。
【００４４】
本発明に係る筐体は、前記リブ１９ｂの先端面は外側から内側に向かってテーパー状の斜面１９ｂ１を設けてあることを特徴とする。
【００４５】
本発明にあっては、リブ１９ｂの先端面は外側から内側に向かってテーパー状の斜面１９ｂ１を設けてあるので、リブ１９ｂにボス２０ａを挿入する際に、リブ１９ｂとボス２０ａとが位置ずれを起こしていても、リブ１９ｂの斜面１９ｂ１に接したボス２０ａの先端はリブ１９ｂの内部に誘い込まれ、リブ１９ｂに挿入することが可能となる。
【００４６】
本発明に係る筐体は、前記リブ１９ｂの突出長は、前記導線ｈの線径よりも長くしてあることを特徴とする。
【００４７】
本発明にあっては、リブ１９ｂの突出長は、導線ｈの線径よりも長くしてあるので、リブ１９ｂの外側面に配線した導線ｈが、リブ１９ｂを乗り越えてしまうことを防ぐことが可能となる。
【００４８】
本発明に係る表示装置は、上述の筐体と、一側に表示面を有する表示部１２とを備え、他の筐体部材は、前記表示部１２の表示面周縁を覆う枠状をなしていることを特徴とする。
【００４９】
本発明にあっては、表示装置の組立工程において、ボス２０ａをリブ１９ｂに締結する際に、ボス２０ａが導線ｈを噛み込んでしまうことを防ぐことが可能となる。
【００５０】
本発明に係るテレビジョン受信機１は、上述の表示装置と、テレビジョン放送を受信する受信部２１とを備え、前記受信部２１にて受信したテレビジョン放送に基づいて、前記表示装置に映像を表示するようにしてあることを特徴とする。
【００５１】
本発明にあっては、テレビジョン受信機１の組立工程において、ボス２０ａをリブ１９ｂに締結する際に、ボス２０ａが導線ｈを噛み込んでしまうことを防ぐことが可能となる。
【００５２】
各実施例で記載されている技術的特徴（構成要件）はお互いに組合せ可能であり、組み合わせすることにより、新しい技術的特徴を形成することができる。
今回開示された実施形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【符号の説明】
【００５３】
１        テレビジョン受信機
１１      ベゼル（筐体部材）
１２      液晶パネル（表示部）
１３      光学シート群
１４      ミドルシャーシ
１５      導光板
１６      ＬＥＤ基板
１７      放熱板
１８      バックライトシャーシ
１９      ミドルキャビネット（中間部材）
１９ａ    貫通孔
１９ｂ    円筒リブ（リブ）
１９ｂ１  斜面
１９ｃ    リブ
１９ｄ    リブ
２０      リアキャビネット（筐体部材）
２０ａ    ボス
２０ｂ    貫通孔
２０ｃ    貫通孔
２０ｄ    突起部
２１      チューナ部（受信部）
２２      電源部
３        スタンド
Ｂ        ねじ
ｈ        ハーネス（導線）
【図１】
0006446324.tif 000002
【図２】
0006446324.tif 000003
【図３】
0006446324.tif 000004
【図４】
0006446324.tif 000005
【図５】
0006446324.tif 000006
【図６】
0006446324.tif 000007
【図７】
0006446324.tif 000008
【図８】
0006446324.tif 000009
【図９】
0006446324.tif 000010
【図１０】
0006446324.tif 000011
【図１１】
0006446324.tif 000012
【図１２】
0006446324.tif 000013